(57)【要約】  【課題】  予定した生産数または生産比率となるように各種製品を生産しつつ、生産ラインの稼働率の向上を図ることができるだけでなく、生産ラインの進捗状況の把握が容易となり、また、製品の打ち切り、割り込み等を容易かつ正確に行うことができる生産システムを提供すること。  【解決手段】  複数種の製品Ａ〜Ｈを１つのライン１上で連続的に生産し、それらを混合して流す生産システムＳにおいて、所定期間内の各種製品Ａ〜Ｈの生産数または生産比率に基づき平準化計算を実行して基本生産順序を決定し、製品の生産順序が前記基本生産順序を繰り返したものとなるように構成した。  【選択図】  図１
2005108102.tif 000002
【特許請求の範囲】
【請求項１】
複数種の製品を１つのライン上で連続的に生産し、それらを混合して流す生産システムにおいて、所定期間内の各種製品の生産数または生産比率に基づき平準化計算を実行して基本生産順序を決定し、製品の生産順序が前記基本生産順序を繰り返したものとなるように構成したことを特徴とする生産システム。
【請求項２】
複数種の製品を１つのライン上で連続的に生産し、それらを混合して流す生産システムにおいて、生産数が少ない希少製品の生産数または生産比率を複数種の製品のうちで生産数が最も多い最多製品の生産数または生産比率に組み入れた後、各種製品の生産数または生産比率に基づく平準化計算を実行して基本生産順序を決定し、この基本生産順序を繰り返してなる反復生産順序を得る一方、希少製品の生産数または生産比率と最多製品の生産数または生産比率とに基づく平準化計算を実行して最多製品補正順序を得て、この最多製品補正順序に従って前記反復生産順序における最多製品を希少製品に置換する補正を行い、製品の生産順序が前記補正後の反復生産順序となるように構成したことを特徴とする生産システム。
【発明の詳細な説明】
【技術分野】
【０００１】
この発明は、例えば、１つのラインにおいて、作業方法や工程系列が類似している複数種の製品を連続的に生産し、それらを混合して流すいわゆる混合品種ラインを構成する生産システムに関する。
【背景技術】
【０００２】
作業方法や工程系列が類似している複数種の製品を１つのラインにおいて連続的に生産し、それらを混合して流すいわゆる混合品種ラインでは、製品の生産順序によってラインの稼働率が変わる。つまり、特定工程の作業時間が長い製品や工程系列が短い製品などを続けて生産すると、特定工程で流れが詰まったり、加工がない工程に遊びが生じたりしてライン全体の稼働率が低下することになる。従って、特定工程における作業時間の長い製品の後に短い製品を生産したり、工程系列の短い製品の後に長い製品を生産したりするように生産順序を適切に決め、なるべく同じ種類の製品を連続して生産しないようにすることで、稼働率の低下の防止を図ることが重要となる。
【０００３】
また、通常、混合品種ラインの各種製品の生産数または生産比率は予め決められているので、混合品種ラインでは、予定した生産数または生産比率に合うように各種製品を生産することが前提となる。
【０００４】
そのため、混合品種ラインにおいて、各種製品を予め決められた生産数または生産比率で生産しつつ、ラインの稼働率の向上を図ることができるように、製品の生産順序を適切に決めることが求められている。そのように適切な生産順序を決めるための方法として、平準化計算がある。
【０００５】
この平準化計算は、複数種の製品の生産数または生産比率に基づいて、同じ種類の製品をなるべく連続させずに生産することができる複数種の製品の生産順序を導出するものである。以下、平準化計算の内容について詳述する。
【０００６】
平準化計算は、以下のステップＳ１〜Ｓ３を繰り返すことにより、複数種の製品の生産順序を導出する。
（ステップＳ１）：各製品の生産数または生産比率（この実施例では生産比率）に対応する基本ポイントをそれぞれ累積計算し、累積ポイントを算出した後、ステップＳ２へと進む。なお、この実施例では、前記基本ポイントを各製品の生産比率と同数としている。
（ステップＳ２）：各製品に対応する累積ポイントが所定値（この実施例では各製品の生産比率の合計である合計生産比率）以上であるかどうかを判定し、各累積ポイントが所定値未満であればステップＳ１に進み、所定値以上の累積ポイントがある場合にはステップＳ３に進む。
（ステップＳ３）：所定値以上となった累積ポイントについて、前記所定値を減ずるとともに、その累積ポイントに対応する製品を生産順序リストに追加する。その後、ステップＳ１に進む。
【０００７】
例えば、生産しようとする製品がＷａ〜Ｗｅの５種類あり、図１２（Ａ）に示すように、設定された生産比率がＷａ：Ｗｂ：Ｗｃ：Ｗｄ：Ｗｅ＝７６：１３：６９：１６：４５である場合、平準化計算では、ステップＳ１〜Ｓ３に従った演算を繰り返し行うことにより、図１２（Ｂ）に示すように、マスターテーブルｔで表される結果が得られる。
【０００８】
詳しくは、まず、演算１として、ステップＳ１に従って、各製品Ｗａ〜Ｗｅに対応する基本ポイント（この実施例では上記生産比率の値としている）をそれぞれ初期値（この実施例では０）に対して累積計算する。これに伴って、マスターテーブルｔにおける演算１の各製品Ｗａ〜Ｗｅの欄に示すように、それぞれ基本ポイント（例えば、製品Ｗａでは７６）が加えられた状態となる。その後、自動的にステップＳ２に進む。このステップＳ２では、演算１の各欄に示されるように、各製品に対応する累積ポイントが所定値（２１９）未満であると判定され、ステップＳ１に進む。
【０００９】
続いて、演算２として、ステップＳ１に従って、各製品Ｗａ〜Ｗｅに対応する基本ポイントをそれぞれの累積ポイントに対して累積計算する。これに伴って、マスターテーブルｔにおける演算２の各製品Ｗａ〜Ｗｅの欄に示すように、それぞれの累積ポイントに基本ポイントが加えられた状態となる。例えば、製品Ｗａでは累積ポイント７６に基本ポイント７６が加えられ、１５２となっている。その後、自動的にステップＳ２に進む。このステップＳ２では、演算２の各欄に示されるように、各累積ポイントが所定値（２１９）未満であると判定され、ステップＳ１に進む。
【００１０】
さらに続いて、演算３として、ステップＳ１に従って、各製品Ｗａ〜Ｗｅに対応する基本ポイントをそれぞれの累積ポイントに対して累積計算する。これに伴って、マスターテーブルｔにおける演算３の各製品Ｗａ〜Ｗｅの欄に示すように、それぞれの累積ポイントに基本ポイントが加えられた状態となる。その後、自動的にステップＳ２に進む。このステップＳ２では、演算３の欄に示されるように、各製品Ｗａ〜Ｗｅに対応する累積ポイントのうち、１つの製品Ｗａに対応する累積ポイントが所定値２１９以上である２２８となっているので、ステップＳ３に進む。
【００１１】
このステップＳ３では、所定値以上となっている製品Ｗａに対応する累積ポイント２２８から所定値２１９を減じるとともに、その累積ポイントに対応する製品Ｗａを演算３の生産順序リスト欄（図１２（Ｂ）では指示と表記した欄）に書き込む。その後、ステップＳ１に進む。
【００１２】
上述のようにして、ステップＳ１〜Ｓ３の演算を適宜に繰り返すことにより、演算４以降の処理も行われる。なお、演算１０では、製品Ｗｃ、Ｗｅに対応する累積ポイントがそれぞれ所定値２１９以上である２５２、２３１となっている。このように同時に複数の累積ポイントが所定値以上となったときには、それらの累積ポイントに対応する製品を生産順序に順次追加（指示欄に順次書き込み）すればよく、このときに生産順序に追加する順番を決める方法としては、例えば、Ｗａ〜Ｗｅの順番となるようにしてもよいし、累積ポイントの大きいほうからとしてもよい。また、このとき、累積ポイントが所定値以上となった複数の製品の生産順序リストへの追加処理が終了するまで次のステップＳ１の演算を行わないようにし、生産順序リストへの追加処理が終了した後、ステップＳ１に進むようにしている。
【００１３】
上記の構成からなる平準化計算では、ステップＳ１〜Ｓ３の処理を繰り返して、生産順序（マスターテーブルｔの指示欄参照）に製品を追加していくことにより、製品の生産順序を所定の順番まで定めることができる。上記の例の場合、製品の生産順序は、マスターテーブルｔの指示欄に記載されているように、Ｗａ、Ｗｃ、Ｗｅ、Ｗａ、Ｗｃ、Ｗａ、Ｗｃ、Ｗｅ、…となる。ここで、上記平準化計算はエンドレスであるので、製品の生産順序が所定の順番まで得られればそこでストップする必要がある。
【００１４】
上記平準化計算によって導出される生産順序は、各種製品を予め決められた生産数または生産比率となるように生産しつつ、ラインの稼働率の向上を図ることができるものとなる。
【発明の開示】
【発明が解決しようとする課題】
【００１５】
しかし、例えば、製品の１日の生産数が多数である場合、具体的には、例えば２０００台（個）である場合、上記構成の平準化計算を用いて製品の生産順序が１番から２０００番まで決定されるが、この生産順序で複数種の製品を生産すると、現時点で何番まで生産しているかなど、生産ラインの進捗状況の把握が困難となるおそれがあり、また、複数種のうちの１種の製品の生産のみを所定台数で打ち切るときに、現時点から何台後にその製品の生産を打ち切ればよいかということや、テスト等のために抜いた製品を再びラインに割り込ませて戻すときに、現時点から何台後にその製品を割り込ませればよいかということの割り出しに時間がかかるだけでなく、製品の打ち切りや割り込み等を行うときにミスが生じやすいという問題があった。
【００１６】
この発明は上述の事柄に留意してなされたもので、その目的は、予定した生産数または生産比率となるように各種製品を生産しつつ、生産ラインの稼働率の向上を図ることができるだけでなく、生産ラインの進捗状況の把握が容易となり、また、製品の打ち切り、割り込み等を容易かつ正確に行うことができる生産システムを提供することである。
【課題を解決するための手段】
【００１７】
上記目的を達成するために、この発明の生産システムは、複数種の製品を１つのライン上で連続的に生産し、それらを混合して流す生産システムにおいて、所定期間内の各種製品の生産数または生産比率に基づき平準化計算を実行して基本生産順序を決定し、製品の生産順序が前記基本生産順序を繰り返したものとなるように構成した（請求項１）。
【００１８】
また、複数種の製品を１つのライン上で連続的に生産し、それらを混合して流す生産システムにおいて、生産数が少ない希少製品の生産数または生産比率を複数種の製品のうちで生産数が最も多い最多製品の生産数または生産比率に組み入れた後、各種製品の生産数または生産比率に基づく平準化計算を実行して基本生産順序を決定し、この基本生産順序を繰り返してなる反復生産順序を得る一方、希少製品の生産数または生産比率と最多製品の生産数または生産比率とに基づく平準化計算を実行して最多製品補正順序を得て、この最多製品補正順序に従って前記反復生産順序における最多製品を希少製品に置換する補正を行い、製品の生産順序が前記補正後の反復生産順序となるように構成したとしてもよい（請求項２）。
【発明の効果】
【００１９】
請求項１に係る発明では、複数種の製品の生産数または生産比率に基づいて、同じ種類の製品をなるべく連続させずに生産することができる複数種の製品の生産順序の導出に適した平準化計算を用いて、各種の製品を生産する生産順序を決定するので、各種製品を予め決められた生産数または生産比率となるように生産しつつ、ラインの稼働率の向上を図ることができる。
【００２０】
しかも、請求項１に係る発明では、前記基本生産順序を例えば１００台（個）単位とするなど扱い易くなるように適宜に設定し、この扱い易くした基本生産順序を繰り返すように製品を生産するように構成することで、生産ラインの進捗状況の把握が容易となり、また、製品の打ち切り、割り込み等を容易かつ正確に行うことができる。
【００２１】
請求項２に係る発明では、上記の効果に加えて、生産数が少ない希少製品がある場合でも、そのような希少製品を生産順序に確実かつ簡単に組み込むことができるという効果が得られる。
【発明を実施するための最良の形態】
【００２２】
図１は、この発明の一実施例を示す。
【００２３】
図１に示すように、この発明の生産システムＳは、自動的に、複数種の製品を連続的に生産し、かつそれらを混合して流す生産ライン１と、この生産ラインに対して生産する製品の順序についての指示を出すためのコントローラ２とを備えている。
【００２４】
生産ライン１は、生産しようとするエンジン等の製品のベースとなるワーク３を矢印Ｘ方向に順次所定の速度で搬送する搬送手段としての搬送コンベア４と、この搬送コンベア４の搬送方向に沿って配置され、搬送コンベア４上を搬送されるワーク３に対して部品組み付け等を行う組み付け手段としての複数の組み付け工程部５とを有している。そして、搬送コンベア４を流れるワーク３に対して組み付け工程部５により組み付け作業等の加工が行われて、所定の製品が生産されることとなる。
【００２５】
コントローラ２は、例えば、プログラマブルコントローラであり、生産する複数種の製品の生産数または生産比率の入力（設定）に基づいて所定の演算を実行して適切な生産順序を決定するための平準化計算プログラム（詳細は後述する）を有し、この平準化計算プログラムをＣＰＵ等で実行することにより決定された生産順序に応じて、生産する製品の種類を示す生産指示データを生産ライン１に順次出力するように構成されている。
【００２６】
上記の構成からなる生産システムＳでは、まず、コントローラ２において、平準化計算プログラムにより適切な生産順序が導出され、この生産順序に応じて生産指示データがコントローラ２から生産ライン１に出力されると、各組み付け工程部５が、待機状態と、搬送コンベア４上を流れるワーク３への部品組み付け等の作業を実行する状態とに適宜に切り換わり、前記生産順序に従って複数種の製品が生産されることとなる。
【００２７】
なお、この実施例の生産システムＳは、コントローラ２から出力された生産指示データが書き込まれる記録媒体６をワーク３に付設し、このワーク３に付設された記録媒体６の生産指示データを各組み付け工程部５が読み取って、前記生産指示データに対応した部品組み付け等の作業を行うように構成してある。
【００２８】
すなわち、生産指示データが記録媒体６を介してコントローラ２から各組み付け工程部５に間接的に送られると、各組み付け工程部５が、待機状態と、ワーク３への部品組み付け等の作業を実行する状態とに適宜に切り換わり、これにより、平準化計算プログラムの実行によって導出された生産順序で複数種の製品を生産するようにしてある。
【００２９】
なお、記録媒体７としては、例えば、ＩＣタグやＩＤカード、バーコードなどを用いることができる。
【００３０】
次に、製品の生産順序を決定するための平準化計算プログラムの第１の例（以下、第１平準化計算プログラムという）について説明する。
【００３１】
生産システムＳにおいて、生産すべき全種類の製品Ａ〜Ｈは、図２に示すように、それらの所定期間（この実施例では１日）内の生産数（この実施例では生産比率ともなる）が予め設定されている。
【００３２】
そして、第１平準化計算プログラムは、まず、所定期間内の各種製品Ａ〜Ｈの生産数または生産比率に基づき平準化計算を実行することで製品の基本生産順序を決定する。図３に、平準化計算の結果をマスターテーブルＴとして示し、図４に、前記平準化計算によって得られた基本生産順序をそれぞれ示す。なお、平準化計算の流れについては上述したので再度の説明は省略する。また、図３には、平準化計算の演算１〜２１までの結果のみを示しているが、平準化計算は演算２１で終わるのではなく、基本生産順序の所定の順番（例えば１００番）が得られるまで行われる。図４に示される基本生産順序は、図３に示すマスターテーブルＴの指示欄に示される製品を順に並べたものと同一である。
【００３３】
続いて、第１平準化計算プログラムでは、基本生産順序を繰り返し適宜の回数つないで、その最後の順番が所定期間内の各製品Ａ〜Ｈの生産数の合計と一致するようにした順序を製品Ａ〜Ｈの生産順序とする。すなわち、所定期間内の製品Ａ〜Ｈの生産数の合計がＸであるとき、下記の式（１）を満たすように、基本生産順序として並ぶ製品の総数Ｙ（すなわち基本生産順序の最後の順番となるＹ番）と基本生産順序を繰り返す回数Ｚとを設定すればよい。
Ｙ×Ｚ＝Ｘ                                                          …（１）
【００３４】
例えば、所定期間内の各製品Ａ〜Ｈの生産数の合計が２０００であり、基本生産順序が１〜１００番まである場合には、上記（１）式から、基本生産順序を２０回繰り返せばよいことがわかり、それに従って、製品Ａ〜Ｈの生産順序が１〜２０００番まで決定されることになる。
【００３５】
そして、上記のようにして得られた製品Ａ〜Ｈの生産順序に対応する生産指示データを作成し、この生産支持データがコントローラ２から生産ライン１に出力されることにより、生産ライン１において前記基本生産順序を繰り返すように製品Ａ〜Ｈが順次生産される。
【００３６】
ところで、第１平準化計算プログラムにおいて、例えば、平準化計算を行って１番〜１００番まで基本生産順序を導出した場合、この基本生産順序中に、全製品Ａ〜Ｈのうち、相対的に生産数が極端に少ない、あるいは生産比率が例えば１％未満など極端に低い製品（以下、希少製品という）Ｇ，Ｈの順番が含まれないことになり、この基本生産順序を繰り返しつないだものを製品Ａ〜Ｈの生産順序とすると、希少製品Ｇ，Ｈが生産されなくなる。
【００３７】
そこで、生産数が少ない希少製品がある場合に適した平準化計算プログラムの第２の例（以下、第２平準化計算プログラムという）について、以下に説明する。
【００３８】
第２平準化計算プログラムは、まず、図２に示す所定期間（この実施例では１日）内の各種製品Ａ〜Ｈの各生産数または各生産比率に、基本生産順序として並べる製品の数（この実施例では１００）を乗じたのち、合計生産数または合計生産比率で除す前処理を行う。これにより、各種製品Ａ〜Ｈの各生産数または各生産比率は、図５に示す値となる。
【００３９】
続いて、希少製品Ｇ，Ｈの生産数または生産比率を、全種製品Ａ〜Ｈのうちで生産数が最も多い最多製品Ａの生産数または生産比率に組み入れる。以下、最多製品Ａと希少製品Ｇ，Ｈとを合計したものを最多製品Ａ’という。上記組み入れにより、各種製品Ａ’、Ｂ〜Ｆの生産数または生産比率は、図６に示す値となる。
【００４０】
その後、各種製品Ａ’、Ｂ〜Ｆの生産数または生産比率に基づく平準化計算を実行することで製品の基本生産順序を決定する。図７に、平準化計算の結果をマスターテーブルＴ’として示し、図８に、前記平準化計算によって得られた基本生産順序をそれぞれ示す。なお、平準化計算の流れについては上述したので再度の説明は省略する。また、図８には、平準化計算の演算１〜２６までの結果のみを示しているが、平準化計算は演算２６で終わるのではなく、基本生産順序の所定の順番（この実施例では、１００番）が得られるまで行われる。図８に示される基本生産順序は、図７に示すマスターテーブルＴ’の指示欄に示される製品を順に並べたものと同一である。
【００４１】
続いて、第２平準化計算プログラムでは、基本生産順序を適宜の回数繰り返しつないで、その最後の順番が所定期間内の各製品Ａ〜Ｈの生産数の合計と一致するようにした反復生産順序を得る（図９参照）。すなわち、所定期間内の製品Ａ〜Ｈの生産数の合計がＸであるとき、上記式（１）を満たすように、基本生産順序として並ぶ製品の総数Ｙ（すなわち基本生産順序の最後の順番となるＹ番）と基本生産順序を繰り返す回数Ｚとを設定すればよい。
【００４２】
一方、希少製品Ｇ，Ｈの生産数または生産比率と最多製品Ａの生産数または生産比率とに基づく平準化計算を実行することで、図１０に示すように、最多製品補正順序を得る。
【００４３】
そして、図１１に示すように、最多製品補正順序に従って反復生産順序における最多製品Ａ’を最多製品Ａと希少製品Ｇ，Ｈとに置換する補正を行う。ここで、この実施例では、最多製品Ａと希少製品Ｇ，Ｈとを合計したものを最多製品Ａ’として示しているため、図１１に示すように、反復生産順序における最多製品Ａ’を最多製品Ａと希少製品Ｇ，Ｈとに置換する必要があるが、例えば、最多製品Ａと希少製品Ｇ，Ｈとを合計したものを最多製品Ａ’とはせず最多製品Ａとして示す場合には、最多製品補正順序に従って反復生産順序を補正する際、反復生産順序における適宜の順番にある最多製品Ａのみを希少製品Ｇ，Ｈとに置換することとなる。
【００４４】
最後に、補正後の反復生産順序を製品Ａ〜Ｈの生産順序とし、この生産順序に対応する生産指示データを作成し、この生産支持データがコントローラ２から生産ライン１に出力されることにより、生産ライン１において前記補正後の反復生産順序で製品Ａ〜Ｈが順次生産順序される。
【００４５】
なお、この実施例は種々に変形させて実施することができる。すなわち、例えば、コントローラ２から組み付け工程部５に対して、製品の生産順序についての指示あるいは生産順序に応じて作成される生産指示データが、記録媒体７を介して送られるのではなく、直接送られるように構成して、組み付け工程部５が、待機状態と、ワーク４への部品組み付け等の作業を実行する状態とに適宜に切り換わるようにしてもよい。
【００４６】
また、コントローラ２は、プログラマブルコントローラに限られず、例えば、パーソナルコンピュータなどによって構成してあってもよい。
【００４７】
また、第１および第２平準化計算プログラムでは、平準化計算によって基本生産順序に必要となる順番（１００番）までのみを得てこれを用いているが、このような構成に限られず、例えば、平準化計算を行って基本生産順序として必要とする順番（１００番）よりも大きな順番まで（例えば１〜２０００番まで）の順序（以下、純生産順序という）を得た後、得られた１〜２０００番までの純生産順序における所望の部分（例えば、１〜１００番まで）を抽出して用いるようにしてもよく、この場合、純生産順序の先頭から所定の順番までの順序（例えば、１〜５０番あるいは１〜２００番など）を抽出してもよいし、純生産順序の途中から所定の順番までの順序（例えば、３０〜１３０番あるいは５０〜２５０番など）を抽出してもよい。
【００４８】
さらに、この場合、基本生産順序を、純生産順序の先頭から［所定期間の製品生産数／定数Ｎ：但し定数Ｎ＞１］番目までの順序を抽出してなるものとしてもよいし、純生産順序の途中から［所定期間の製品生産数／定数Ｎ：但し定数Ｎ＞１］個目までの順序を抽出してなるものとしてもよい。
【００４９】
ここで、［所定期間の製品生産数／定数Ｎ］としては、例えば、第１および第２平準化計算プログラムの説明で例示したように、［１日の製品生産数２０００／定数２０＝１００］とすることができるが、このような構成に限られず、所定期間の製品生産数および定数Ｎには種々の数値を用いることができる。なお、定数Ｎは２以上の整数であることが好ましい。
【００５０】
また、第２平準化計算プログラムでは、所定期間内の各種製品Ａ〜Ｈの各生産数または各生産比率に、基本生産順序として並べる製品の数を乗じたのち、合計生産数または合計生産比率で除し、続いて、希少製品Ｇ，Ｈの生産数または生産比率を、最多製品Ａの生産数または生産比率に組み入れ、その後、平準化計算を行っているが、このような構成に限られず、例えば、所定期間内の各種製品Ａ〜Ｈの各生産数または各生産比率に、基本生産順序として並べる製品の数を乗じたのち、合計生産数または合計生産比率で除すという前処理ステップを、希少製品Ｇ，Ｈの生産数または生産比率を最多製品Ａの生産数または生産比率に組み入れるという組み入れステップの後に入れてもよいし、前処理ステップを設けなくともよい。また、この前処理ステップを、第１平準化計算プログラムに設けてもよい。この場合、前処理ステップは、第１平準化計算プログラムにおいて、例えば、基本生産順序を得るための平準化計算を行う前に入れることができる。
【００５１】
また、第２平準化計算プログラムにおいて、希少製品として設定する製品は、生産数が極端に少ないものや生産比率が１％未満など極端に低いものに限られず、例えば、全製品のうちで生産比率が小さいとみなせるものを適宜に選択してもよく、具体的には、この実施例の製品Ｆなどを希少製品に加えてもよい。
【図面の簡単な説明】
【００５２】
【図１】この発明の一実施例に係る生産システムの構成を概略的に示す説明図である。
【図２】各製品の所定期間内の生産数を示す図である。
【図３】第１平準化計算プログラムにおける平準化計算の結果としてのマスターテーブルを示す図である。
【図４】第１平準化計算プログラムにおける純生産順序を示す図である。
【図５】前処理後の各製品の所定期間内の生産数を示す図である。
【図６】最多製品に希少製品を組み入れた後の各製品の所定期間内の生産数を示す図である。
【図７】第２平準化計算プログラムにおける平準化計算の結果としてのマスターテーブルを示す図である。
【図８】第２平準化計算プログラムにおける純生産順序を示す図である。
【図９】第２平準化計算プログラムにおける反復生産順序を示す図である。
【図１０】第２平準化計算プログラムにおける最多製品補正順序を示す図である。
【図１１】第２平準化計算プログラムにおいて、最多製品補正順序を用いて反復生産順序を補正する方法について示す図である。
【図１２】平準化計算の説明図である。
【符号の説明】
【００５３】
１      生産ライン
Ａ〜Ｈ  製品
Ｓ      生産システム
【図１】
2005108102.tif 000003
【図２】
2005108102.tif 000004
【図３】
2005108102.tif 000005
【図４】
2005108102.tif 000006
【図５】
2005108102.tif 000007
【図６】
2005108102.tif 000008
【図７】
2005108102.tif 000009
【図８】
2005108102.tif 000010
【図９】
2005108102.tif 000011
【図１０】
2005108102.tif 000012
【図１１】
2005108102.tif 000013
【図１２】
2005108102.tif 000014